(57)【特許請求の範囲】
【請求項１】
光源と、該光源からの出射光を一方端面から取り込んで指向性が高められた光を他方端面から出射する、所定の間隔を空けて配列された複数の導光部材と、該導光部材の他方端面から出射される光のスペクトルを調整する光学フィルタとを有する光照明装置であって、
該複数の導光部材の各々には遮光部材が設けられており、該遮光部材は、該光源とこれに対向する各々の導光部材の一方端面との隙間から漏れた迷光を、該迷光が該各々の導光部材に隣接する導光部材にその端面以外の外周面から入り込まないように遮るものである光照射装置。
【請求項２】
前記遮光部材は、該導光部材の一方端面外周端から該光源側に、該一方端面を囲うように張り出されている請求項１に記載の光照射装置。
【請求項３】
前記光源が収容され、該光源からの出射光を所定方向に反射するリフレクタを有し、該リフレクタの開口部側と前記導光部材の一方端面との間の空隙を囲うように前記遮光部材が配置されている請求項１に記載の光照射装置。
【請求項４】
請求項１〜３のいずれかに記載の光照射装置からの擬似太陽光を一方端面から取り込んでその内部を伝搬させて被照射物に対して指向性の高い光を平坦面から均一に面照射する面照射用の導光部材を有する擬似太陽光照射装置。
【請求項５】
第１光源と、該第１光源からの出射光を一方端面から取り込んで指向性が高められた光を他方端面から出射する第１導光部材と、該第１導光部材の他方端面から出射される光のスペクトルを調整する第１光学フィルタとを有する第１光照射装置と、
第２光源と、該第２光源からの出射光を一方端面から取り込んで指向性が高められた光を他方端面から出射する第２導光部材と、該第２導光部材の他方端面から出射される光のスペクトルを調整する第２光学フィルタとを有する第２光照射装置と、
該第１光照射装置からの光と該第２光照射装置からの光を混合して太陽光に類似した擬似太陽光を得る光混合部材と、該光混合部材からの擬似太陽光を一方端面から取り込んでその内部を伝搬させて被照射物に対して指向性の高い光を平坦面から均一に面照射する第３導光部材とを有する第３光照射装置とのセットが複数設けられ、
該第１導光部材同士および該第２導光部材同士がそれぞれ隣接して並べられており、
隣接した該第１導光部材間および／または、隣接した該第２導光部材間に遮光部材が配置されている擬似太陽光照射装置。
【請求項６】
前記第１導光部材を固定する部材、および前記第２導光部材を固定する部材を有しており、前記遮光部材は、前記第１導光部材を固定する部材、および／または前記第２導光部材を固定する部材において、前記第１導光部材および／または前記第２導光部材に面した面に取り付けられている請求項５に記載の擬似太陽光照射装置。
【請求項７】
前記第１光源および前記第２光源がそれぞれ収容され、該第１光源および該第２光源からの出射光を所定方向にそれぞれ反射する各リフレクタを有し、該各リフレクタの開口部側と前記第１導光部材の一方端面との間の空隙から互いに隣接した導光部材に向かう光を少なくとも遮るように前記遮光部材が配置されている請求項５に記載の擬似太陽光照射装置。
【請求項８】
請求項４〜７のいずれかに記載の擬似太陽光照射装置を用いて太陽電池パネルの出力特性を測定して良否判定を行う太陽電池パネル用検査装置。
【発明の詳細な説明】
【技術分野】
【０００１】
本発明は、被照射物に対して指向性の高い光を照射するための光照射装置および、この光照射装置を用いて被照射物に対して擬似太陽光を照射する擬似太陽光照射装置、この擬似太陽光照射装置を用いて太陽電池パネルの出力特性を測定して良否判定を行う太陽電池パネル用検査装置に関する。
【背景技術】
【０００２】
従来、太陽光のスペクトル分布を高精度に再現するための光源装置としての従来の擬似太陽光照射装置では、所望のスペクトルを有する光を得るために、キセノンランプなどを点灯して光学フィルタ（エアマスフィルタ）を通過した擬似太陽光を、反射板で反射拡散させることによって被測定対象における照度分布を均一にする試みが為されてきた。
【０００３】
ランプ光源からの出射光は、テーパ導光部材内を伝搬させて指向性の高い平行光を作り、その指向性の高い平行光を用いて被照射物に対して面照射を行っている。
【０００４】
図１５は、特許文献１に開示されている従来の光照射装置の要部構成例を模式的に示す縦断面図であって、ランプ光源からテーパ導光部材に光を導入する場合を示す縦断面図である。
【０００５】
特許文献１には、図１５に示すように、従来の光照射装置１００として、ランプ光源１０１の出射光を、図示しない反射鏡（リフレクタ）により所定方向に反射させて集光し、その反射光を、指向性を高めるためのテーパ導光部材１０２内にその下端面から導入される光学系が開示されている。このテーパ導光部材１０２内を導光した光は、指向性が制御された後に、照射面としてのテーパ導光部材１０２の上端面から、スペクトル調整用のエアマスフィルタを通して取り出される。
【０００６】
また、特許文献１には、ランプ光源１０１からの出射光は、反射箱（図示せず）を利用して、光を反射箱（図示せず）内で複数回反射させた後に上部開口部から光を取り出してテーパ導光部材１０２内に導くようにしていることが記載されている。また、特許文献１には、指向性を高めるテーパ導光部材１０２の光閉じ込め効果を高めるために、指向性を高める導光部材の材質とは屈折率が異なる透明部材で外周部分を覆うことが記載されている。
【０００７】
このように、ランプ光源１０１を収容する反射箱（図示せず）のような漏れ光防止の遮光構造を用いた場合には、ランプ光源１０１が特にハロゲン光のような熱源では、反射箱（図示せず）内が異常に高温になり、これによって反射箱（図示せず）の反射用の内面コーティング部分の性能が変化して、放射する光のスペクトルが大きく変化してしまう虞がある。
【０００８】
したがって、ハロゲンランプの場合は、高温になるために、ハロゲンランプの回りを覆うことができない。また、キセノンランプの場合は、フラッシュ発光で温度上昇が大きくないため、反射鏡（リフレクタ）の前方に光を内面で反射させる開口板が設けられてキセノンランプを囲っていてもよく、リフレクタと開口板との間に放熱用の隙間が設けられた場合を図１６に示している。
【０００９】
図１６は、従来の光照射装置の別の要部構成例を模式的に示す縦断面図であって、ランプ光源をリフレクタ内に収容し、リフレクタの前方に配置した開口板の開口部からテーパ導光部材に光を導入する場合を示す縦断面図である。
【００１０】
図１６に示すように、従来の光照射装置１００Ａは、キセノンランプのランプ光源１０１が収容されるリフレクタ１０４ａとその前方の開口板１０４ｂとから構成されている。このリフレクタ１０４ａと開口板１０４ｂとの間に放熱用の隙間１０４ｃが設けられている。この開口板１０４ｂには、ランプ光源１０１からの出射光がリフレクタ１０４ａで前方に向けて反射される。リフレクタ１０４ａの前方にある開口板１０４ｂの開口部から指向性のよい出射光を、その指向性を更に高めるためのテーパ導光部材１０２内にその下端面から導入する。この場合、開口板１０４ｂの開口部とテーパ導光部材１０２の下端面とは対向するように接近して配置されている。
【先行技術文献】
【特許文献】
【００１１】
【特許文献１】特開２００３−９８３５４号公報
【発明の概要】
【発明が解決しようとする課題】
【００１２】
上記従来の光照射装置では、図１５に示すようなランプ光源１０１のリフレクタ（図示せず）とテーパ導光部材１０２の下端面との間、または、図１６に示すような開口板１０４ｂの開口部とテーパ導光部材１０２の下端面との間（開口板１０４ｂの表面は曲面になっている）は、僅かに隙間が空いており、この隙間から漏れる指向性の悪い迷光Ｌ１，Ｌ２が、テーパ導光部材１０２内に導入されずにその周囲から外部に漏れる。これは、テーパ導光部材１０２の下端面は平面である方が光の取り込み効率がよいため、開口板１０４ｂの表面の曲面と、テーパ導光部材１０２の下端面の平面との間に隙間が生じる。
【００１３】
このため、テーパ導光部材１０２の下端部周囲から外部に漏れた指向性の悪い迷光Ｌ１，Ｌ２が、その隣にあるテーパ導光部材１０２の側壁からテーパ導光部材１０２の内部に導かれる。このテーパ導光部材１０２内に導かれた指向性の悪い迷光Ｌ１，Ｌ２は、迷光Ｌ１のように更に外部に出るものもあるが、迷光Ｌ２のようにテーパ導光部材１０２の内部で反射して伝搬して行くものもあり、この場合には、迷光Ｌ２によって指向性性能が劣化して、擬似太陽光照射装置としての太陽光との本来のスペクトル合致度が低下するという問題が発生する。
【００１４】
図１７は、図１５および図１６の隙間から漏れる指向性の悪い迷光Ｌ１，Ｌ２を示す図であって、（ａ）はテーパ導光部材にトラップされずにテーパ導光部材を通過して行く場合の光通過経路を示し、（ｂ）は、テーパ導光部材にトラップされてテーパ導光部材内を伝搬して指向性を乱す場合の光通過経路を示している。
【００１５】
本発明は、上記従来の問題を解決するもので、指向性の悪い迷光がテーパ導光部材内に入って伝搬することにより指向性性能が劣化することを防止して、太陽光とのスペクトル合致度の低下を防止することができる光照射装置および、この光照射装置を用いて被照射物に対して擬似太陽光を照射する擬似太陽光照射装置、この擬似太陽光照射装置を用いて太陽電池パネルの出力特性を測定して良否判定を行う太陽電池パネル用検査装置を提供することを目的とする。
【課題を解決するための手段】
【００１６】
本発明の光照射装置は、光源と、該光源からの出射光を一方端面から取り込んで指向性が高められた光を他方端面から出射する、所定の間隔を空けて配列された複数の導光部材と、該導光部材の他方端面から出射される光のスペクトルを調整する光学フィルタとを有する光照明装置であって、該複数の導光部材の各々には遮光部材が設けられており、該遮光部材は、該光源とこれに対向する各々の導光部材の一方端面との隙間から漏れた迷光を、該迷光が該各々の導光部材に隣接する導光部材にその端面以外の外周面から入り込まないように遮るものであり、そのことにより上記目的が達成される。
【００１７】
また、好ましくは、本発明の光照射装置における遮光部材は、該導光部材の一方端面外周端から該光源側に、該一方端面を囲うように張り出されている。
【００１８】
さらに、好ましくは、本発明の光照射装置における光源が収容され、該光源からの出射光を所定方向に反射するリフレクタを有し、該リフレクタの開口部側と前記導光部材の一方端面との間の空隙を囲うように前記遮光部材が配置されている。
【００１９】
本発明の擬似太陽光照射装置は、本発明の上記光照射装置からの擬似太陽光を一方端面から取り込んでその内部を伝搬させて被照射物に対して指向性の高い光を平坦面から均一に面照射する面照射用の導光部材を有するものであり、そのことにより上記目的が達成される。
【００２０】
本発明の擬似太陽光照射装置は、第１光源と、該第１光源からの出射光を一方端面から取り込んで指向性が高められた光を他方端面から出射する第１導光部材と、該第１導光部材の他方端面から出射される光のスペクトルを調整する第１光学フィルタとを有する第１光照射装置と、第２光源と、該第２光源からの出射光を一方端面から取り込んで指向性が高められた光を他方端面から出射する第２導光部材と、該第２導光部材の他方端面から出射される光のスペクトルを調整する第２光学フィルタとを有する第２光照射装置と、該第１光照射装置からの光と該第２光照射装置からの光を混合して太陽光に類似した擬似太陽光を得る光混合部材と、該光混合部材からの擬似太陽光を一方端面から取り込んでその内部を伝搬させて被照射物に対して指向性の高い光を平坦面から均一に面照射する第３導光部材とを有する第３光照射装置とのセットが複数設けられ、該第１導光部材同士および該第２導光部材同士がそれぞれ隣接して並べられており、隣接した該第１導光部材間および／または、隣接した該第２導光部材間に遮光部材が配置されているものであり、そのことにより上記目的が達成される。
【００２１】
また、好ましくは、本発明の擬似太陽光照射装置において、前記第１導光部材を固定する部材、および前記第２導光部材を固定する部材を有しており、前記遮光部材は、前記第１導光部材を固定する部材、および前記第２導光部材を固定する部材において、前記第１導光部材に面した面に取り付けられている。
【００２２】
さらに、好ましくは、本発明の擬似太陽光照射装置において、前記第１光源および前記第２光源がそれぞれ収容され、該第１光源および該第２光源からの出射光を所定方向にそれぞれ反射する各リフレクタを有し、該各リフレクタの開口部側と前記第１導光部材の一方端面との間の空隙をから互いに隣接した導光部材に向かう光を少なくとも遮るように前記遮光部材が配置されている。
【００２３】
本発明の太陽電池パネル用検査装置は、本発明の上記擬似太陽光照射装置を用いて太陽電池パネルの出力特性を測定して良否判定を行うものであり、そのことにより上記目的が達成される。
【００２４】
上記構成により、以下、本発明の作用を説明する。
【００２５】
隣接した導光部材間に遮光部材が配置されているので、導光部材一方端面および他方端面以外の外壁から迷光が入射しないことから、指向性の悪い迷光がテーパ導光部材内に入って伝搬することにより指向性性能が劣化することが防止されて、太陽光とのスペクトル合致度の低下を防止することが可能となる。
【発明の効果】
【００２６】
以上により、本発明によれば、隣接した第１導光部材間および／または、隣接した第２導光部材間に遮光部材が配置されているため、指向性の悪い迷光がテーパ導光部材内に入って伝搬することにより指向性性能が劣化することを防止して、太陽光とのスペクトル合致度の低下を防止することができる。
【図面の簡単な説明】
【００２７】
【図１】本発明の実施形態１における擬似太陽光照射装置の要部構成例を模式的に示す斜視図である。
【図２】図１の擬似太陽光照射装置の要部構成例を模式的に示す縦断面図である。
【図３】図１のキセノン光源、これが収容されるリフレクタおよびその前方の開口板を示す斜視図である。
【図４】（ａ）は図１のキセノン光源、リフレクタ、開口板およびテーパ導光部材の縦断面図、（ｂ）は図３の開口板の開口部を示す平面図である。
【図５】（ａ）は、迷光が隣のテーパ導光部材内に進入するのを防ぐテーパ導光部材の第１の構造を模式的に示す断面図であり、（ｂ）は、迷光が隣のテーパ導光部材内に進入するのを防ぐテーパ導光部材の第２の構造を模式的に示す断面図である。
【図６】図５（ａ）のテーパ導光部材の第１の構造の外観を模式的に示す斜視図である。
【図７】図１のハロゲン光源、テーパ導光部材および波長選択ミラーの上部全体を覆う遮光部材を模式的に示す縦断面図である。
【図８】図１の擬似太陽光照射装置の平面図である。
【図９】（ａ）は、キセノンランプの波長に対する照度を示す図、（ｂ）は、ハロゲンランプの波長に対する照度を示す図である。
【図１０】（ａ）および（ｂ）は、本実施形態１の擬似太陽光照射装置の光量調整についてさらに説明するための斜視図である。
【図１１】本発明の実施形態２における擬似太陽光照射装置の要部構成例を模式的に示す斜視図である。
【図１２】図１１の擬似太陽光照射装置の要部構成例を模式的に示す縦断面図である。
【図１３】図１１の擬似太陽光照射装置の平面図である。
【図１４】（ａ）および（ｂ）は、本実施形態２の擬似太陽光照射装置の光量調整についてさらに説明するための斜視図である。
【図１５】特許文献１に開示されている従来の光照射装置の要部構成例を模式的に示す縦断面図であって、ランプ光源からテーパ導光部材に光を導入する場合を示す縦断面図である。
【図１６】従来の光照射装置の別の要部構成例を模式的に示す縦断面図であって、ランプ光源をリフレクタ内に収容し、リフレクタの前方に配置した開口板の開口部からテーパ導光部材に光を導入する場合を示す縦断面図である。
【図１７】図１５および図１６の隙間から漏れる指向性の悪い迷光Ｌ１，Ｌ２を示す図であって、（ａ）はテーパ導光部材にトラップされずにテーパ導光部材を通過して行く場合の光通過経路を示す図、（ｂ）は、テーパ導光部材にトラップされてテーパ導光部材内を伝搬して指向性を乱す場合の光通過経路を示す図である。
【発明を実施するための形態】
【００２８】
以下に、本発明の光照射装置を擬似太陽光照射装置に適用すると共に、この擬似太陽光照射装置を太陽電池パネル用検査装置に適用した場合の実施形態１、２について図面を参照しながら詳細に説明する。なお、各図における構成部材のそれぞれの厚みや長さなどは図面作成上の観点から、図示する構成に限定されるものではない。
【００２９】
（実施形態１）
図１は、本発明の実施形態１における擬似太陽光照射装置の要部構成例を模式的に示す斜視図である。図２は、図１の擬似太陽光照射装置の要部構成例を模式的に示す縦断面図である。
【００３０】
図１および図２において、本実施形態１の擬似太陽光照射装置１には、キセノンランプのキセノン光源２と、キセノン光源２を内部に収容する内面が反射面のリフレクタ３ａおよびその前方部分を覆う開口板３ｂと、この開口板３ｂの開口部（図示せず）からのキセノン出射光をその下端面から取り込んで内部を伝搬させることにより指向性を良くするテーパカプラであるテーパ導光部材４と、このテーパ導光部材４からのキセノン光をフィルタリングして短波長側の擬似太陽光のスペクトルとする第１光学フィルタ（スペクトル調整用フィルタ）としてのエアマスフィルタ５とを有する第１光照射装置６が設けられている。このように、第１光照射装置６は、キセノン光源２からの出射光がリフレクタ３ａによって反射され集光されて、開口板３ｂの開口部から出射され、このキセノン出射光を、テーパカプラと呼ばれるテーパ導光部材４の下端面から取り込んでその内部を伝搬させて指向性の高い平行光とし、テーパ導光部材４の上端面からエアマスフィルタ５を通して指向性の高いキセノン光を出射する。このエアマスフィルタ５からのキセノン光は擬似太陽光の短波長側のスペクトルに相当している。
【００３１】
また、この擬似太陽光照射装置１には、ハロゲンランプなどのハロゲン光源７と、ハロゲン光源７を収容する内面が反射面のリフレクタ８と、このリフレクタ８の内面で反射したハロゲン出射光をその下端面から取り込んで内部を伝搬させることにより指向性を良くするテーパ導光部材９と、このテーパ導光部材９の端面からのハロゲン出射光をフィルタリングして長波長側の擬似太陽光とする第２光学フィルタ（スペクトル調整用フィルタ）としてのエアマスフィルタ１０とを有する第２光照射装置１１が設けられている。このように、第２光照射装置１１は、ハロゲン光源７の出射光がリフレクタ８で反射し集光して出射され、このハロゲン出射光を、テーパカプラと呼ばれるテーパ導光部材９の一方端面から取り込んでその内部を伝搬させて指向性の高い平行光とし、テーパ導光部材９の他方端面からスペクトル調整用のエアマスフィルタ１０を通して指向性の高いハロゲン出射光を出射する。このエアマスフィルタ１０からのハロゲン光は擬似太陽光の長波長側のスペクトルに相当している。ハロゲン光源７は１フィラメントタイプでもよいが、パワーを稼ぐために、ここでは、ハロゲン光源７は２フィラメントタイプを用い、二つのハロゲンランプに対応してそれぞれテーパ導光部材９をそれぞれ用いている。
【００３２】
さらに、この擬似太陽光照射装置１には、第１光照射装置６のスペクトル調整用のエアマスフィルタ５からの短波長のキセノン出射光を反射させると共に、第２光照射装置１１のスペクトル調整用のエアマスフィルタ１０からの長波長のハロゲン出射光を透過させることにより光混合して太陽光に類似した擬似太陽光を得る反射・透過手段としての波長選択ミラー（または波長混合ミラー）などの光混合部１２と、この光混合部１２からの拡散光である擬似太陽光を一方端面から取り込んでその内部を伝搬させて例えば太陽電池パネルなどの被照射物１３に対して指向性の高い光Ｌを均一に面照射する導光部材１４とを有する第３光照射装置１５が設けられている。また、図２に示すように、第３光照射装置１５が左右に配置されているが、導光部材１４同士はお互いの端面を当接している。
【００３３】
図３は、図１のキセノン光源２、これが収容されるリフレクタ３ａおよびその前方の開口板３ｂを示す斜視図である。図４（ａ）は図１のキセノン光源２、リフレクタ３ａ、開口板３ｂおよびテーパ導光部材４の縦断面図、図４（ｂ）は図８の開口板３ｂの開口部を示す平面図である。
【００３４】
図３、図４（ａ）および図４（ｂ）に示すように、キセノン光源２からの出射光を反射して集光するためのリフレクタ３ａおよび、その前方に開口板３ｂが設けられており、開口板３ｂに所定間隔を置いて開口部３１が形成されている。この開口部３１から指向性のよいキセノン光を取り出して、テーパカプラであるテーパ導光部材４の下端面に入射させるように構成している。この開口部３１の開口サイズを大きくすると、より多くの照射光量をテーパ導光部材４の下端面に入射させることができる。また、開口板３ｂの開口部３１には、所定幅ｄでライン状（短冊状）の遮光部材３２が取り付け可能とされており、遮光部材３２を開口板３ｂの開口部３１上に取り付けると、光が遮光される分だけ、より少ない照射光量をテーパ導光部材４の下端面に入射させ、スペクトル合致度を高めるための光量調整をすることができる。また、スペクトル調整用のエアマスフィルタ５を出射した直後に光量調整部材を入れて光量調整してしまうと、スペクトルの状態が変わってしまうため、遮光部材３２や光量調整部材の位置は、スペクトルに影響が最も少ない位置、即ち、テーパ導光部材４の下端面と、リフレクタ３ａの前方の開口板３ｂとの間に配置するのが望ましい。
【００３５】
これによって、後述する面照射の導光部材１４，１４からの出射光量のバランスを調整する際に、導光部材１４に光を入射させるための途中の光学系の状態を変化させないで、光量だけを変化させることができる。つまり、擬似太陽光のスペクトル分布を固定した後でも、擬似太陽光のスペクトル分布を変化させることなく、導光部材１４，１４からの出射光量を調整することができる。
【００３６】
ここで、本発明者らは、太陽電池パネルの良否検査を行うために、擬似太陽光として太陽光のスペクトル分布を高精度に再現する際に、被照射物１３としての太陽電池パネルに照射する擬似太陽光のスペクトル分布の乱れの原因が、光源側とテーパ導光部材の端面側との間の隙間から漏れる指向性の悪い迷光が隣のテーパ導光部材内にその側面から進入することが原因であることを見出した。迷光が隣のテーパ導光部材内にその側面から進入するのを防ぐために、遮光部材を、例えば、キセノン光源２とテーパ導光部材４の下端面側との間の隙間と、隣のテーパ導光部材４との間に配設する。
【００３７】
図５（ａ）は、迷光が隣のテーパ導光部材内に進入するのを防ぐテーパ導光部材の第１の構造を模式的に示す断面図であり、図５（ｂ）は、迷光が隣のテーパ導光部材内に進入するのを防ぐテーパ導光部材の第２の構造を模式的に示す断面図である。図６は、図５（ａ）のテーパ導光部材の第１の構造を模式的に示す斜視図である。なお、図５（ａ）および図５（ｂ）のキセノンランプのランプ光源２やリフレクタ３ａは、図１では複数一括して設けられているが、ここでは隣接２セット毎の構成になっている。ランプ光源２やリフレクタ３ａは各種構造を取り得る。さらに、この第１の構造および第２の構造は、ハロゲン光用のテーパ導光部材９にも適用することができる。
【００３８】
第１光照射装置６において、キセノン出射光の指向性を高めるテーパカプラであるテーパ導光部材４の上端面と下端面以外の外周側面は、図５（ａ）および図６のように独立した遮光部材４１で覆っている。このように、遮光部材４１でテーパ導光部材４の周囲（側壁）を囲ったことによって、テーパ導光部材４の下端面と開口板３ｂの開口部との間の隙間から漏れた指向性の悪い迷光Ｌ１，Ｌ２が遮光部材４１に照射され、従来のようにテーパ導光部材４の側面から内部に取り込まれて、光混合部１２の波長選択ミラーに反射して導光板１４側に迷光Ｌ２として入るのを防止することができる。
【００３９】
または、遮光部材４２は、光源からの光がテーパ導光部材の一方端面から取り込まれる際に迷光になるのを抑えるように、テーパ導光部材の一方端面外周から光源側に、その一方端面を囲うように張り出している。即ち、第１光照射装置６において、キセノン出射光の指向性を高めるテーパカプラであるテーパ導光部材４の下端面と、リフレクタ３ａに対向する開口板３ｂとの間の隙間を囲って覆うように配置されるか、テーパ導光部材４の横断面形状の外周側に、図５（ｂ）のように隣接した導光部材の方向に遮光壁を設けた遮光部材４２が配置されていてもよい。さらに、遮光壁をつなげて、隙間を囲うように環状の部材にしてもよい。このように、遮光部材４２でテーパ導光部材４の下端面と、リフレクタ３ａに対向する開口板３ｂの開口部との間の隙間を遮断したことによって、テーパ導光部材４の下端面と開口板３ｂの開口部との間の隙間から漏れた指向性の悪い迷光Ｌ１，Ｌ２が環状の遮光部材４２の内面に照射され、従来のように隣のテーパ導光部材４の側面から内部に取り込まれず、光混合部１２の波長選択ミラーに反射して導光板１４側に迷光Ｌ２として入るのを防止することができる。
【００４０】
一方、ハロゲン光源７側での迷光も、ハロゲン出射光の指向性を高めるテーパ導光部材９の一方端面と他方端面以外の外周側面が、図５（ａ）および図６のように独立した遮光部材９１で覆われていてもよいが、ハロゲン光は、熱線であるため温度が高くなり、できるだけ周囲を覆わない方がよい。ハロゲン光源７側では遮光率が高いと高温になり易いので、ハロゲン光源７側では遮光率を低く設定する。ハロゲン光源７からの出射光の指向性を高める、隣接したテーパ導光部材９間に配置された遮断部材の遮光率が、キセノン光源２からの出射光の指向性を高める、隣接したテーパ導光部材４間に配置された遮光部材の遮光率よりも小さく設定する。これによって、遮光部材の反射でハロゲン光が吸収されることによる部材温度の上昇を防ぐことができる。このため、遮光部材からの反射は可能な範囲で低い方がよい。
【００４１】
このため、第２光照射装置１１において、ハロゲン出射光の指向性を高めるテーパカプラであるテーパ導光部材９の一方端面と、リフレクタ８の開放側との間の隙間の外周部を覆うように、テーパ導光部材９の横断面形状の外周側に、図５（ｂ）のように少なくとも隣接した導光部材側に遮光壁を設けた遮光部材９２が配置されていている方が、熱に関して、側面全体を覆う遮光部材９１よりもよい。このように、遮光部材９２でテーパ導光部材９の一方端面と、リフレクタ８の開放側との間の隙間の外周部だけを囲ったことによって、テーパ導光部材９の一方端面とリフレクタ８の開放側との間の隙間から漏れた指向性の悪い迷光Ｌ１，Ｌ２が隣接した導光部材側に遮光壁を設けた遮光部材９２の内面に照射され、従来のように隣のテーパ導光部材９の側面からその内部に取り込まれることはなく、光混合部１２の波長選択ミラーを透過して導光板１４の内部に迷光Ｌ２が入るのを防止することができる。
【００４２】
また、迷光は波長選択ミラー上方に向かうのがほとんどであるので、図７のように、ハロゲン光源７と、テーパカプラであるテーパ導光部材９と、光混合部１２の波長選択ミラーとの全体を覆う遮光部材（遮光板９３）をこれらから距離を置いて設けることもできて、迷光となる赤外光によるテーパカプラや光源付近の温度上昇を低減させることができる。遮光板９３の内面は、ハロゲン光源７側であるので、反射率を低く設定している。
【００４３】
遮光部材４１、９１は、反射率が低い黒アルマイト処理したアルミ板にシボ加工したシートや遮光シール材などである。これらをテーパ導光部材４，９を保持する部材のテーパ導光部材に面する側（テーパ導光部材の外周壁面側）に貼り付ける。遮光部材４２、９２については、アルミ板にシボ加工したシートや遮光シール材などを、光源側とテーパ導光部材４、９の端面側との間の隙間の隣接した導光部材側だけを覆うように貼り付けたり、その隙間の外周側だけに枠状（導光部材の断面に応じて、四角や円形にする）の遮光部材を固定してもよい。さらに、遮光板９３の材質は、反射率が低い黒アルマイト処理したアルミ板にシボ加工した板状のものであってもよい。
【００４４】
次に、照射面積変更自在なユニット化について説明する。
【００４５】
本実施形態１の擬似太陽光照射装置１は、図１に示すように、上記第１光照射装置６、第２光照射装置１１および第３光照射装置１５の組が左右２組配設され、この２組が、本実施形態１では前後方向に８セット（１６ユニット）並べられて設けられている。上記第１光照射装置６、第２光照射装置１１および第３光照射装置１５の組がユニット化されて精度よく製造することができ、上記第１光照射装置６、第２光照射装置１１および第３光照射装置１５のユニットが組み合わされて、所望の大きさの太陽電池パネルに対応した擬似太陽光の照射面の大きさとすることができる。したがって、上記第１光照射装置６、第２光照射装置１１および第３光照射装置１５の組の左右２組が、前後方向に８セット（１６ユニット）に全く限ることはない。これによって、照射面積変更自在なユニット化とすることができる。なお、この場合、第１光照射装置６において、キセノン光源２と、リフレクタ３ａおよび開口板３ｂは一括照射型であるので、これらについては共通に用いることになる。これらのキセノン光源２とリフレクタ３ａおよび開口板３ｂを、テーパ導光部材４毎に設けることもできる。
【００４６】
このように、上記第１光照射装置６、第２光照射装置１１および第３光照射装置１５の組を１単位としてユニット化すると、１単位の照射面の照射強度のばらつきを抑えて精度よく所望の照射強度（光量）とすることができて、ユニット化した１単位の照射面を組み合わせて大きい照射面とする場合にも、大きい照射面全体で照射強度のばらつきを抑えて均一な所望の照射強度（光量）とすることができる。要するに、大面積の照射面の照射強度を高精度で均一にすることは難しいが、大面積の照射面を複数に分割し、その小面積の照射面の照射強度を高精度に均一化すれば、それらを組み合わせるだけで、大面積の照射面の照射強度（光量）を高精度に均一化することができる。
【００４７】
したがって、第１光照射装置６、第２光照射装置１１および第３光照射装置１５の組を１ユニットとして、１ユニットの照射強度（光量）を高精度に製造しておけば、太陽電池パネルのサイズに合わせて組み立てるだけで、従来、時間をかけて行っていた照射強度（光量）の光量調整を不要とすることができる。即ち、従来は、太陽電池パネルのサイズに応じて、各要所に基準照度検出セルが設けられた照射強度検査装置によって大面積の照射面全体のうちのどの部分の照射強度が低いかを測定し、その照射強度が低い部分の照射強度を上げるように照射強度の調整をする必要があったが、それも不要とすることができる。また、定期的なメンテナンス時にも、照射強度調整が不要である。ユニット化した１単位の光照射装置をばらつきなく精度よく製造しておけば、照射強度調整が不要であり、メンテナンス性に優れている。従来はこの照射面全体の照射強度調整（光量調整）に時間がかかっていた。
【００４８】
次に、照射面全体の照射強度調整（光量調整）について更に説明する。
【００４９】
図８は、図１の擬似太陽光照射装置１の平面図である。
【００５０】
第１光照射装置６、第２光照射装置１１および第３光照射装置１５の組を１ユニットとして、左右に２組設け、これを前後方向に８セット設けている。
【００５１】
本実施形態１の擬似太陽光照射装置１において、上記第１光照射装置６、第２光照射装置１１および第３光照射装置１５の組がユニット化されて左右２組配設されたものが、例えば８セット（左右の２ユニットで１セット；全１６ユニット）だけ前後方向に並べられて設けられているが、少なくともユニットは、照射強度（光量）が調整できるように、出力光量の異なるランプまたは、光透過率の異なるエアマスフィルタ５（スペクトル調整用フィルタ）を取替え可能としておくことにより、導光板１４に入射する照射強度（光量）を個別に調整可能とすることができる。
【００５２】
次に、擬似太陽光を均一に太陽電池パネルに面照射して得られる発電量の良否を精密に検査することができる太陽電池パネル検査装置について説明する。
【００５３】
図９（ａ）は、キセノンランプの波長に対する照度を示す図、図９（ｂ）は、ハロゲンランプの波長に対する照度を示す図である。
【００５４】
キセノンランプからの出射光は、図９（ａ）に示すように、温度上昇に寄与する熱線成分はハロゲン光よりも少なく太陽光の可視光から紫外光までに相当する波長帯の光を主に有し、ハロゲンランプからの出射光は、図９（ｂ）に示すように、温度上昇に寄与する熱線成分が多い太陽光の赤外光の波長帯の光を有している。キセノンランプとハロゲンランプとの各出射光を光混合部１２を通して混合することにより、太陽光に類似した擬似太陽光を得ることができる。この擬似太陽光を波長選択ミラーなどの光混合部１２から導光部材１４，１４内に導いて、擬似太陽光を伝搬させて被照射物１３（太陽電池パネル）に対して、導光部材に形成された光立上げ部によって指向性の高い光を均一に面照射することができる。
【００５５】
これによって、被照射物１３としての太陽電池パネルが規定以上の発電量を有するかどうかを発電量検出装置にて検出することにより、被照射物１３（例えば太陽電池パネルなど）の良否検査を行うことができる。これらの擬似太陽光照射装置１および発電量検出装置により太陽電池パネル検査装置が得られる。
【００５６】
以上により、本実施形態１によれば、擬似太陽光を照射する擬似太陽光照射装置１として、キセノン光源２のように短波長帯が使用され、かつ長波長帯の光のエネルギーが大きい光源と、ハロゲン光源７のように太陽光の長波長帯に相当する波長帯の光が使用され、かつそれより長波長の光が使用されない光源とを用いる場合のテーパ導光部材４，９の遮光方法として、遮光部材を隣接テーパ導光部材間に設けたことにより、迷光Ｌ２が隣のテーパ導光部材内にその側面から進入するのを防ぐことができる。これによって、キセノン光源２を導入するための開口板３ｂの開口部３１から漏れた指向性が悪い迷光Ｌ２が、キセノン光源２用のテーパ導光部４に入り、その上にあるエアマスフィルタ５に向けて出射され、さらに、導光板１４に導かれ、迷光Ｌ２により太陽光とのスペクトル合致度が悪くなった光を導光板１４から被照射物１３としての太陽電池パネルに出射することを防止することができる。このため、太陽電池パネルの出力特性を精度よく測定する検査を行うことができる。また、ハロゲン光源７側での遮光を、キセノン光源２側より小さな遮光部材で覆うこと、または図７のように遮光方法を変えることにより、ハロゲン光源７用のテーパ導光部９を覆うことによる異常な温度上昇を防ぎ、従来の反射箱のような内面のコーティング部材のスペクトル特性を高熱により変えてしまうという悪影響も防ぐことができる。
【００５７】
なお、光量調整についてさらに説明する。
【００５８】
図１０（ａ）は、本実施形態１の擬似太陽光照射装置１の光量調整について説明するための斜視図である。図１０（ａ）では、図１の上記第１光照射装置６や光混合部１２（波長選択ミラー）は図示されていない。光量調整については、図１０を用いた説明で、上記第１光照射装置６や光混合部１２（波長選択ミラー）はなくてもよい。同様に、ランプ光源やリフレクタについても各種構造を取り得る。
【００５９】
図１０（ａ）に示すように各導光板１４と光源ランプ２Ｃとを一対一に対応させ、ランプを交換したり電流を調整することにより、光源ランプ２Ｃからの出力光量を個別に制御することができる。この場合、光透過率の異なるエアマスフィルタ１０Ｃ（スペクトル調整用フィルタ）に取替えて各導光板１４に入射される光量を調節することもできる。これを図１の本実施形態１の擬似太陽光照射装置１について言えば、キセノン光源２やハロゲン光源７をランプを交換したり電流を調整することにより、光源ランプからの出力光量を個別に制御することができる。また、エアマスフィルタ５やエアマスフィルタ１０を、光透過率の異なるエアマスフィルタに取替えて各導光板１４に入射される光量を調節することもできる。
【００６０】
なお、本実施形態１では、特に説明しなかったが、テーパ導光部材４を固定する部材、およびテーパ導光部材９を固定する部材を有しており、遮光部材は、テーパ導光部材４を固定する部材、および／またはテーパ導光部材９を固定する部材において、テーパ導光部材４および／またはテーパ導光部９に面した面に取り付けられている。
【００６１】
また、本実施形態１では、特に説明しなかったが、光源２，７がそれぞれ収容され、光源２，７からの出射光を所定方向にそれぞれ反射する各リフレクタ３ａ，８を有し、各リフレクタ３ａ、８の開口部側と第１導光部材の一方端面との間の空隙を互いに隣接したテーパ導光部材に向かう面を少なくとも遮光するように遮光部材４２，９２が配置されている。
【００６２】
（実施形態２）
上記実施形態１では、第３光照射装置１５が左右に配置され、導光部材１４同士がお互いの端面を当接している場合について説明したが、本実施形態２では、左右の導光部材１４が一体となったことにより、上記実施形態１の左右の第３光照射装置１５が一体化した場合について説明する。
【００６３】
即ち、上記実施形態１では、擬似太陽光照射装置１として、第１光照射装置６、第２光照射装置１１および第３光照射装置１５を１セットとしてユニット化され、ユニット化された１セット同士を左右方向に対向配置して、第３光照射装置１５の第３導光部材１４、１４の他方端面同士を当接した２ユニットを、被照射物１３のサイズに応じて、前後方向に複数並べて配置された場合について説明したが、本実施形態２では、後述する擬似太陽光照射装置１Ａとして、第１光照射装置６、第２光照射装置１１および光混合部１２をそれぞれ配置した左側セットと、第１光照射装置６、第２光照射装置１１および光混合部１２をそれぞれ配置した右側セットとの間に、左側の光混合部１２からの混合光を一方端面から取り込んでその内部を伝搬させると共に、右側の光混合部１２からの混合光を他方端面から取り込んでその内部を伝搬させて被照射物１３に対して指向性の高い光を平坦面から均一に面照射する第４導光部材１４Ａが設けられ、これを１セットとしてユニット化され、被照射物のサイズに応じて、ユニット化された１セットが前後方向に複数並べてられて配置された場合について説明する。
【００６４】
図１１は、本発明の実施形態２における擬似太陽光照射装置の要部構成例を模式的に示す斜視図である。図１２は、図１１の擬似太陽光照射装置の要部構成例を模式的に示す縦断面図である。なお、図１１および図１２では、図１および図２の構成部材と同様の作用効果を奏する構成部材には同一の符号を付して説明する。
【００６５】
図１１および図１２において、本実施形態２の擬似太陽光照射装置１Ａでは、上記実施形態１の第１光照射装置６および第２光照射装置１１（または１１Ａ）と同一の構成であるが、左側の第１光照射装置６および第２光照射装置１１（または１１Ａ）と、右側の第１光照射装置６および第２光照射装置１１（または１１Ａ）とを１ユニットとして用いる点で異なっている。また、上記実施形態１の第３光照射装置１５の構成に代えて第４光照射装置１５Ａを用いる。要するに、本実施形態２の擬似太陽光照射装置１Ａは、上記実施形態１の左右の導光部材１４が一体となった導光部材１４Ａを用いる点が、上記実施形態１の擬似太陽光照射装置１の場合とは異なっている。したがって、左右の二つの第３光照射装置１５が一体化した第４光照射装置１５Ａを用いる。
【００６６】
この第４光照射装置１５Ａには、左側の第１光照射装置６のスペクトル調整用のエアマスフィルタ５からの短波長のキセノン出射光を反射させると共に、左側の第２光照射装置１１のスペクトル調整用のエアマスフィルタ１０からの長波長のハロゲン出射光を透過させることにより光混合して太陽光に類似した擬似太陽光を得る反射・透過手段としての波長選択ミラー（または波長混合ミラー）などの左側の光混合部１２と、右側の第１光照射装置６のスペクトル調整用のエアマスフィルタ５からの短波長のキセノン出射光を反射させると共に、右側の第２光照射装置１１のスペクトル調整用のエアマスフィルタ１０からの長波長のハロゲン出射光を透過させることにより光混合して太陽光に類似した擬似太陽光を得る反射・透過手段としての波長選択ミラー（または波長混合ミラー）などの右側の光混合部１２と、左側の光混合部１２からの拡散光である擬似太陽光を一方端面から取り込んでその内部を伝搬させると共に、右側の光混合部１２からの拡散光である擬似太陽光を他方端面から取り込んでその内部を伝搬させて、例えば太陽電池パネルなどの被照射物１３に対して指向性の高い光Ｌを均一に面照射する導光部材１４Ａとが設けられている。この場合、第４光照射装置１５Ａでは、導光部材１４Ａが一体化されている。
【００６７】
導光部材１４Ａは、上記実施形態１の導光部材１４、１４のように二つに分かれていない方が、その間の端面での反射がないので、光を効率よく活用することができる。また、上記実施形態１のように導光部材を並べる方式であれば、他方端面で反射させる際に、反射鏡を使えばスペクトルに悪影響する。これに対して、導光部材１４Ａは、上記実施形態１の導光部材１４、１４のように左右二つに分ける必要がないため、真ん中の端面での光調整がなくなって、スペクトル特性を良好なものにすることができる。導光部材１４Ａがガラス材である場合、面積が大きくなると製造が困難になるが、面積がある程度小さいものに最適に適用することができる。
【００６８】
次に、照射面積変更自在なユニット化について説明する。
【００６９】
本実施形態２の擬似太陽光照射装置１Ａは、図１１に示すように、左右の第１光照射装置６、左右の第２光照射装置１１および第４光照射装置１５Ａが１ユニットで構成される。この１ユニットが、本実施形態２では前後方向に８セット隙間なく並べられて設けられている。上記左右の第１光照射装置６、左右の第２光照射装置１１および第４光照射装置１５Ａが、１単位として、ユニット化されて精度よく製造することができ、上記左右の第１光照射装置６、左右の第２光照射装置１１および第４光照射装置１５Ａが１ユニットとして前後方向に組み合わされて、所望の大きさの太陽電池パネルに対応した擬似太陽光の照射面の大きさとすることができる。したがって、上記左右の第１光照射装置６、左右の第２光照射装置１１および第４光照射装置１５Ａの１ユニットが、前後方向に８ユニットに全く限ることはない。これによって、照射面積変更自在なユニット化とすることができる。なお、この場合も、第１光照射装置６において、キセノン光源２と、リフレクタ３ａおよび開口板３ｂは一括照射型であるので、これらについては共通に用いることになる。これらのキセノン光源２とリフレクタ３ａおよび開口板３ｂを、テーパ導光部材４毎に設けることもできる。
【００７０】
このように、上記左右の第１光照射装置６、左右の第２光照射装置１１および第４光照射装置１５Ａを１単位としてユニット化すると、１単位の照射面の照射強度のばらつきを抑えて精度よく所望の照射強度（光量）とすることができて、ユニット化した１単位の照射面を組み合わせて大きい照射面とする場合にも、大きい照射面全体で照射強度のばらつきを抑えて均一な所望の照射強度（光量）とすることができる。要するに、大面積の照射面の照射強度を高精度で均一にすることは難しいが、大面積の照射面を複数に分割し、その小面積の照射面の照射強度を高精度に均一化すれば、それらを組み合わせるだけで、大面積の照射面の照射強度（光量）を高精度に均一化することができる。
【００７１】
したがって、左右の第１光照射装置６、左右の第２光照射装置１１および第４光照射装置１５Ａを１ユニットとして、１ユニットの照射強度（光量）を高精度に製造しておけば、太陽電池パネルのサイズに合わせて組み立てるだけで、従来、時間かけて行っていた照射強度（光量）の光量調整を不要とすることができる。また、定期的なメンテナンス時にも、照射強度調整が不要である。ユニット化した１単位の光照射装置をばらつきなく精度よく製造しておけば、照射強度調整が不要であり、メンテナンス性に優れている。従来はこの照射面全体の照射強度調整（光量調整）に時間がかかっていた。
【００７２】
次に、照射面全体の照射強度調整（光量調整）について更に説明する。
【００７３】
図１３は、図１１の擬似太陽光照射装置１Ａの平面図である。
【００７４】
左右の第１光照射装置６、左右の第２光照射装置１１および第４光照射装置１５Ａを１ユニットとして、これを前後方向に８セット設けているが、前後方向の両端（最も手前と最も奥側）のリフレクタ出力光量が少なくなる傾向にあるので、図８の平面図の場合と同様、図１３の平面図に示すように、両端側のリフレクタ出力光量をそれ以外の中央部側のリフレクタ出力光量よりも、照射光量が均一になるように、ここでは増やしている。この前後方向の両端側において、上記ハロゲン光源７を少し大きい出力のハロゲン光源７Ａを用いることができるようにしている。
【００７５】
また、本実施形態２の擬似太陽光照射装置１Ａにおいて、上記左右の第２光照射装置１１および第４光照射装置１５Ａがユニット化されて、例えば８ユニットが前後方向に並べられて設けられているが、少なくともユニットは、照射強度（光量）が調整できるように、出力光量の異なるランプまたは、光透過率の異なるエアマスフィルタ５（スペクトル調整用フィルタ）を取替え可能としておくことにより、導光板１４Ａに入射する照射強度（光量）を個別に調整可能とすることができる。前記した上記ハロゲン光源７とこれよりも出力光量が高いハロゲン光源７Ａとの取り付け部を設けることにより、出力光量の異なる光源を取替え自在にしておけばよい。
【００７６】
さらに、上記実施形態１の場合と同様、迷光が隣のテーパ導光部材４，９内にその側面から進入するのを防ぐために、遮光部材を、例えば、キセノン光源２とテーパ導光部材４の下端面側との間の隙間と、隣のテーパ導光部材４との間に配設する。例えば図５（ａ）に示すように、遮光部材４１でテーパ導光部材４の周囲に配置することによって、テーパ導光部材４の下端面と開口板３ｂの開口部との間の隙間から漏れた指向性の悪い迷光Ｌ１，Ｌ２が遮光部材４１に照射され、従来のようにテーパ導光部材４の側面から内部に取り込まれて、光混合部１２の波長選択ミラーに反射して導光板１４側に迷光Ｌ２として入るのを防止することができる。または、テーパ導光部材４の下端面と、リフレクタ３ａに対向する開口板３ｂとの間の隙間を覆うように、テーパ導光部材４の横断面形状の外周側に、例えば図５（ｂ）のように隣接する導光部材に面する側に遮光壁を所定高さでリング状の遮光部材４２を配置することによって、テーパ導光部材４の下端面と開口板３ｂの開口部との間の隙間から漏れた指向性の悪い迷光Ｌ１，Ｌ２がリング状の遮光部材４２の内面に照射され、従来のように隣のテーパ導光部材４の側面から内部に取り込まれず、光混合部１２の波長選択ミラーに反射して導光板１４側に迷光Ｌ２として入るのを防止することができる。
【００７７】
なお、本実施形態２では、特に説明していないが、上記実施形態１の場合と同様、開口板３ｂの開口部３１自体の大きさを変化させることにより、面照射の導光部材１４Ａからの出射光量のバランスを調整する際に、導光部材１４Ａに両側から光を入射させるための途中の光学系の状態を変化させないで、光量だけを変化させることができる。つまり、擬似太陽光のスペクトル分布を固定した後でも、擬似太陽光のスペクトル分布を変化させることなく、導光部材１４Ａからの出射光量を調整することができる。
【００７８】
なお、本実施形態２では、特に説明していないが、上記実施形態１の場合と同様、図１４（ａ）に示すように導光板１４Ａと光源ランプ２Ｃとを一対一に対応させ、ランプを交換したり電流を調整することにより、光源ランプ２Ｃからの出力光量を個別に制御することができる。この場合、もちろん、光透過率の異なるエアマスフィルタ１０Ｃ（スペクトル調整用フィルタ）に取替えて導光板１４Ａに入射される光量を調節することもできる。これを図１１の本実施形態２の擬似太陽光照射装置１Ａについて言えば、キセノン光源２やハロゲン光源７をランプを交換したり電流を調整することにより、光源ランプからの出力光量を個別に制御することができる。また、エアマスフィルタ５やエアマスフィルタ１０を、光透過率の異なるエアマスフィルタに取替えて導光板１４Ａに入射される光量を調節することもできる。
【００７９】
また、図１４（ｂ）に示すように導光板１４Ａに対して、分割せず光源ランプ２Ｄのように一括照射型とし、エアマスフィルタ１０Ｄ（スペクトル調整用フィルタ）だけを取替えて各フィルタ透過率を個別に制御するようにしてもよく、または透過率制御用に補正用のフィルタを、エアマスフィルタ１０Ｄ（スペクトル調整用フィルタ）とは別に光透過フィルタを追加することによっても、導光板１４Ａに入射する光量を抑えて調整することができる。これは本実施形態２の擬似太陽光照射装置１Ａに適用できないが、逆に、本実施形態２の擬似太陽光照射装置１Ａのキセノン光源２およびリフレクタ３ａやハロゲン光源７およびリフレクタ８を、図１４（ｂ）に示すように一括照射型とすることもできる。
【００８０】
なお、本実施形態１、２では、第１光照射装置６と、第２光照射装置１１と、第３光照射装置１５または１５Ａとのセットが複数設けられ、第１テーパ導光部材４同士および第２テーパ導光部材９同士がそれぞれ隣接して並べられており、隣接した第１テーパ導光部材４間および／または、隣接した第２テーパ導光部材９間に遮光部材が配置されている擬似太陽光照射装置１または１Ａについて説明したが、これに限らず、第１光照射装置６および第２光照射装置１１のうちのいずれかからの擬似太陽光を一方端面から取り込んでその内部を伝搬させて被照射物３に対して指向性の高い光を平坦面から均一に面照射する面照射用の導光部材１４または１４Ａを有する擬似太陽光照射装置としてもよい。この場合、第１光照射装置６および第２光照射装置１１のうちのいずれかの導光部材は、テーパ導光部材の一方端面および他方端面以外の外壁から迷光が入射しないように遮光部材が配置されて遮光されている。この遮光部材は、テーパ導光部材の外壁の表面に取り付けられているかまたは巻きつけられていてもよい。または、遮光部材は、光源からの光がテーパ導光部材の一方端面から取り込まれる際に漏れて迷光になるのを抑えるように、テーパ導光部材の一方端面外周から光源側に、一方端面を囲うように張り出していてもよい。この場合、リフレクタの開口部側とテーパ導光部材の一方端面との間の空隙を囲うように遮光部材が配置されているかまたは、開口板の開口部とテーパ導光部材の一方端面との間の空隙を囲うように遮光部材が配置されている。
【００８１】
なお、本実施形態１、２では、特に説明しなかったが、第１光学フィルタとしてエアマスフィルタ５は、キセノン光源２のスペクトルを調整する複数枚で構成され、かつそのうちの１枚が近赤外光のみ反射する反射鏡であり、かつキセノン光源２からの出射光の指向性を高めるテーパ導光部材４の光の入出射面以外の面を覆うように遮光部材４１または４２が配置されている。これによって、近赤外線反射鏡による迷光を防止することができる。
【００８２】
なお、本実施形態１、２では、特に説明しなかったが、ハロゲン光源７側に、ハロゲン光源７と、ハロゲン光源７からの出射光の指向性を高めるテーパ導光部材９と、ハロゲン光源７の光のスペクトルを調整する第２光学フィルタとしてエアマスフィルタ１０とを覆って遮光する遮光部材が一部材で設けられている。ハロゲン光源７側に使用される遮光部材は、その遮光部材に入射した光の波長帯６００ｎｍ〜１１００ｎｍの反射率が１パーセント未満に設定されている。これによって、太陽光とのスペクトル合致度の低下への影響を軽減することができる。また、ハロゲン光源７側に使用される遮光部材は、その遮光部材に入射した光の波長帯１１００ｎｍ〜２５００ｎｍの反射率が１パーセント未満に設定されている。
【００８３】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８４】
本発明は、被照射物に対して指向性の高い光を照射するための光照射装置および、この光照射装置を用いて被照射物に対して擬似太陽光を照射する擬似太陽光照射装置、この擬似太陽光照射装置を用いて太陽電池パネルの出力特性を測定して良否判定を行う太陽電池パネル用検査装置の分野において、隣接した第１導光部材間および／または、隣接した第２導光部材間に遮光部材が配置されているので、一方端面および他方端面以外の外壁から迷光が入射しないことから、指向性の悪い迷光がテーパ導光部材内に入って伝搬することにより指向性性能が劣化することが防止されて、太陽光とのスペクトル合致度の低下を防止することができる。
【符号の説明】
【００８５】
１、１Ａ  擬似太陽光照射装置
２  キセノン光源
３ａ  リフレクタ
３ｂ  開口板
３１  開口部
３２  遮光部材
４  テーパ導光部材
４１，９１  遮光部材
４２，９２  遮光部材
５  エアマスフィルタ（第１光学フィルタ；スペクトル調整用フィルタ）
６  第１光照射装置
７，７Ａ，２Ｃ，２Ｄ  ハロゲン光源
８，８Ａ，３Ｃ，３Ｄ  リフレクタ
９，９Ｃ，９Ｄ  テーパ導光部材
９３  遮光部材（遮光板）
１０，１０Ｃ，１０Ｄ  エアマスフィルタ（第２光学フィルタ；スペクトル調整用フィルタ）
１１  第２光照射装置
１２  光混合部（波長選択ミラー）
１３  被照射物（太陽電池パネル）
１４，１４Ａ  導光部材
１５  第３光照射装置
１５Ａ  第４光照射装置
Ｌ１，Ｌ２  迷光
【図２】
0005314653.tif 000002
【図９】
0005314653.tif 000003
【図１２】
0005314653.tif 000004
【図１７】
0005314653.tif 000005
【図１】
0005314653.tif 000006
【図３】
0005314653.tif 000007
【図４】
0005314653.tif 000008
【図５】
0005314653.tif 000009
【図６】
0005314653.tif 000010
【図７】
0005314653.tif 000011
【図８】
0005314653.tif 000012
【図１０】
0005314653.tif 000013
【図１１】
0005314653.tif 000014
【図１３】
0005314653.tif 000015
【図１４】
0005314653.tif 000016
【図１５】
0005314653.tif 000017
【図１６】
0005314653.tif 000018